【手続補正書】
【提出日】令和3年11月5日(2021.11.5)
【手続補正１】
【補正対象書類名】明細書
【補正対象項目名】００６５
【補正方法】変更
【補正の内容】
【００６５】
このように、光学物品及びそれを含むシステムの実施形態が開示されている。上記の実施及び他の実施が、以下の請求項の範囲内にある。当業者であれば、本開示は開示されている実施形態以外の実施形態で実践できることを理解するであろう。開示された実施形態は例示目的で提示されており、限定を目的とするものではない。以下、例示的実施形態を示す。
［１］
発光器又は受光器の一方又は両方と、
前記発光器又は前記受光器の一方又は両方に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。
［２］
前記波長透過選択性層が、７０１ｎｍ〜８４９ｎｍ以外の波長の透過を少なくとも部分的に可能にする、［１］に記載のシステム。
［３］
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、［１］又は［２］に記載のシステム。
［４］
前記波長透過選択性層が、３５０ｎｍ〜７０１ｎｍの波長の透過を少なくとも部分的に減少させる、［１］〜［３］のいずれか一項に記載のシステム。
［５］
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、［１］〜［４］のいずれか一項に記載のシステム。
［６］
前記波長透過選択性層が、８５０ｎｍ以上の波長の約５０％超を透過する、［１］〜［５］のいずれか一項に記載のシステム。
［７］
前記吸収剤成分が、染料、顔料、又はこれらの組み合わせから選択される、［１］〜［５］のいずれか一項に記載のシステム。
［８］
前記染料が、可視的に黒色又は着色されているが、近ＩＲ波長に対して透明である、［７］に記載のシステム。
［９］
前記染料が金属錯体染料である、［８］に記載のシステム。
［１０］
前記吸収剤成分が顔料である、［７］に記載のシステム。
［１１］
前記顔料がナノ粒子顔料である、［１０］に記載のシステム。
［１２］
前記顔料が、有機顔料、無機顔料、又はこれらの組み合わせである、［１０］又は［１１］に記載のシステム。
［１３］
前記発光器又は前記受光器の一方又は両方が近赤外域内の動作波長を有する、［１］〜［１２］のいずれか一項に記載のシステム。
［１４］
前記光学フィルターが表面光学微細構造を含む、［１］〜［１３］のいずれか一項に記載のシステム。
［１５］
前記発光器が近赤外ＬＥＤ又は近赤外レーザを含む、［１］〜［１４］のいずれか一項に記載のシステム。
［１６］
前記受光器が、近赤外カメラ、又は近赤外受光帯域を有する光センサを含む、［１］〜［１５］のいずれか一項に記載のシステム。
［１７］
前記光学フィルターが反射層を含む、［１］〜［１６］のいずれか一項に記載のシステム。
［１８］
前記光学フィルターがビーズ拡散層を含む、［１］〜［１７］のいずれか一項に記載のシステム。
［１９］
前記光学フィルターが、前記受光器を可視波長から少なくとも部分的に遮蔽し、一方で、前記受光器が近赤外波長を受光することを実質的に可能にするように構成されている、［１］〜［１８］のいずれか一項に記載のシステム。
［２０］
前記光学フィルターが、前記受光器又は前記発光器の一方又は両方を視覚からカモフラージュするように構成されている、［１］〜［１９］のいずれか一項に記載のシステム。
［２１］
前記光学フィルターが、可視波長を吸収することによって前記受光器又は前記発光器の一方又は両方を視覚から少なくとも部分的にカモフラージュするように構成されている、［２０］に記載のシステム。
［２２］
前記光学フィルターが黒色に見える、［１］〜［２１］のいずれか一項に記載のシステム。
［２３］
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、物品。
［２４］
前記波長透過選択性層が、７０１ｎｍ〜８４９ｎｍ以外の波長の透過を少なくとも部分的に可能にする、［２３］に記載の物品。
［２５］
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、［２３］又は［２４］に記載の物品。
［２６］
前記波長透過選択性層が、３５０ｎｍ〜７０１ｎｍの波長の透過を少なくとも部分的に減少させる、［２３］〜［２５］のいずれか一項に記載の物品。
［２７］
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、［２３］〜［２６］のいずれか一項に記載の物品。
［２８］
前記波長透過選択性層が、８５０ｎｍ以上の波長の約５０％超を透過する、［２３］〜［２７］のいずれか一項に記載の物品。
［２９］
前記吸収剤成分が、染料、顔料、又はこれらの組み合わせから選択される、［２３］〜［２８］のいずれか一項に記載の物品。
［３０］
前記染料が、可視的に黒色又は着色されているが、近ＩＲ波長に対して透明である、［２９］に記載の物品。
［３１］
前記染料が金属錯体染料である、［３０］に記載の物品。
［３２］
前記吸収剤成分が顔料である、［３１］に記載の物品。
［３３］
前記顔料がナノ粒子顔料である、［３２］に記載の物品。
［３４］
前記顔料が、有機顔料、無機顔料、又はこれらの組み合わせである、［３２］又は［３３］に記載の物品。
［３５］
前記光学フィルターが表面光学微細構造を含む、［２３］〜［３４］のいずれか一項に記載の物品。
［３６］
前記光学フィルターが反射層を含む、［２３］〜［３５］のいずれか一項に記載の物品。
［３７］
前記光学フィルターがビーズ拡散層を含む、［２３］〜［３６］のいずれか一項に記載の物品。
［３８］
前記光学フィルターが、前記受光器を可視波長から少なくとも部分的に遮蔽し、一方で、前記受光器が近赤外波長を受光することを実質的に可能にするように構成されている、［２３］〜［３７］のいずれか一項に記載の物品。
［３９］
前記光学フィルターが、前記受光器又は前記発光器の一方又は両方を視覚からカモフラージュするように構成されている、［２３］〜［３８］のいずれか一項に記載の物品。
［４０］
前記光学フィルターが黒色に見える、［２３］〜［３９］のいずれか一項に記載の物品。
［４１］
前記接着剤が、スクリーン印刷可能又はインクジェット印刷可能である、［２３］〜［４０］のいずれか一項に記載の物品。
［４２］
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させ、前記光学フィルターが、近赤外（ＮＩＲ）波長を反射する物体に隣接して配置される、物品。
［４３］
検出可能物体と、
前記検出可能物体に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。
【手続補正２】
【補正対象書類名】特許請求の範囲
【補正対象項目名】全文
【補正方法】変更
【補正の内容】
【特許請求の範囲】
【請求項１】
発光器又は受光器の一方又は両方と、
前記発光器又は前記受光器の一方又は両方に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。
【請求項２】
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、請求項１に記載のシステム。
【請求項３】
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、請求項１〜２のいずれか一項に記載のシステム。
【請求項４】
前記光学フィルターが反射層を含む、請求項１〜３のいずれか一項に記載のシステム。
【請求項５】
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、物品。
【請求項６】
前記波長透過選択性層が、７０１ｎｍ〜８４９の波長の約５０％未満を透過し、７０１ｎｍ〜８４９の波長の約４０％未満を透過し、７０１ｎｍ〜８４９の波長の約３０％未満を透過し、７０１ｎｍ〜８４９の波長の約２０％未満を透過し、又は７０１ｎｍ〜８４９の波長の約１５％未満を透過する、請求項５に記載の物品。
【請求項７】
前記波長透過選択性層が、３５０ｎｍ〜７０１の波長の約５０％未満を透過し、３５０ｎｍ〜７０１の波長の約４０％未満を透過し、３５０ｎｍ〜７０１の波長の約３０％未満を透過し、３５０ｎｍ〜７０１の波長の約２０％未満を透過し、又は３５０ｎｍ〜７０１の波長の約１５％未満を透過する、請求項５〜６のいずれか一項に記載の物品。
【請求項８】
光学フィルターを備える物品であって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させ、前記光学フィルターが、近赤外（ＮＩＲ）波長を反射する物体に隣接して配置される、物品。
【請求項９】
検出可能物体と、
前記検出可能物体に隣接した光学フィルターと、を備えるシステムであって、前記光学フィルターが、吸収剤成分を含む少なくとも１つの波長透過選択性層を備え、前記波長透過選択性層が、その上に入射した７０１ｎｍ〜８４９ｎｍの波長の透過を少なくとも部分的に減少させる、システム。